(57)【特許請求の範囲】
【請求項１】
上面に開閉蓋を有する機本体内の上位に脱水篭を内装した水受枡を設置し、該水受枡の底面下に前記脱水篭を高速回転させる駆動モータを、前記機本体に設けた作動スイッチの動作により起動させ、その解除動作により急停止させるように設置し、該駆動モータを起動させたときにその直前に、前記機本体に隣接させた除菌消臭水の収容容器からくみ出し器を介してくみ出した除菌消臭水を前記脱水篭の側面に周面の穴から篭内の被乾燥物を濡らすように噴射できるノズルを設けたことを特徴とする脱水機。
【発明の詳細な説明】
【技術分野】
【０００１】
本発明は、衣類、タオルなどの被乾燥物（水濡れ物）に除菌消臭水を散布して脱水できるようにした脱水機に関するものである。
【背景技術】
【０００２】
近年、フィットネスクラブ、アスレチッククラブ、スイミングクラブなどの各種シティスポーツクラブが盛んに作られている。これらのシティスポーツクラブでは、汗や水に濡れた衣類やタオルなどを脱水して持ち帰ることのできる脱水機が用いられている（特許  第４０１８２４２号）。上記の脱水機は、図４の如く、機本体４１の上面に、開閉蓋４２を有し、該機本体４１内の上位に設置した水受枡４３の内部に、上面が開口した脱水篭４４を有している。該脱水篭４４は、その支持シャフト４５を前記水受枡４３の底面下に設置した駆動モータ４６に連繋してなり、該駆動モータ４６により回転する脱水篭４４の遠心力を受けて衣類やタオルなどが脱水され、飛散した水分は水受枡４３に溜められ、排水パイプ４７を通して機本体４0１の下位空間に備えた貯水槽４８内に流下させるようになっていた。
【特許文献１】特許第４０１８２４２号
【発明の開示】
【発明が解決しようとする課題】
【０００３】
しかしながら、脱水機のうち、水に濡れた衣類やタオルなどを、バックに入れて持ち帰れる、までに極めて短い時間で脱水（乾燥に等しい）できる能力を有しているならば、その脱水機は前述のシティスポーツクラブのみにとどまらず、通常、衣類やタオルなどを使い回しにしている病院や介護施設なども含めて広く普及させるべきであるが、病院や介護施設などでは、他人が着用したものは、たとえ良く脱水（乾燥に等しい状態）していても衛生的にも精神的にも抵抗感が強くあった。また、介護施設において、介護する人（介護者）に、衣類やタオルなどを脱水させることや除菌消臭させることは、介護者にとって負担が大きくなることから、その労働環境の改善も最近の大きな課題の一つであった。
【０００４】
本発明は、上記の点に鑑み、創出したもので、その目的とするところは、脱水されて機外に取り出された衣類・タオルなどは、その時点で完全に除菌消臭された状態になり、衛生的にも精神的にも抵抗感を確実に払拭でき、しかも、介護者の労働環境の改善にも繋がる脱水機を提供することにある。
【課題を解決するための手段】
【０００５】
上記目的を達成するため、本発明に係る脱水機は、上面に開閉蓋を有する機本体内の上位に脱水篭を内装した水受枡を設置し、該水受枡の底面下に前記脱水篭を高速回転させる駆動モータを、前記機本体に設けた作動スイッチの動作により起動させ、その解除動作により急停止させるように設置し、該駆動モータを起動させたときにその直前に、前記機本体に隣接させた除菌消臭水の収容容器からくみ出し器を介してくみ出した除菌消臭水を前記脱水篭の側面に周面の穴から篭内の被乾燥物を濡らすように噴射できるノズルを設けたことを特徴とし、脱水されて機外に取り出された衣類・タオルなどは総て完全に除菌消臭されるように構成した。
【発明の効果】
【０００９】
本発明によれば、上面に開閉蓋を有する機本体内の上位に脱水篭を内装した水受枡を設置し、該水受枡の底面下に前記脱水篭を高速回転させる駆動モータを、前記機本体に設けた作動スイッチの動作により起動させ、その解除動作により急停止させるように設置し、該駆動モータを起動させたときにその直前に、前記機本体に隣接させた除菌消臭水の収容容器からくみ出し器を介してくみ出した除菌消臭水を前記脱水篭の側面に周面の穴から篭内の被乾燥物を濡らすように噴射できるノズルを設けたことを特徴としているから、作動スイッチを動作して駆動モータを起動させたときに、その直前（未だ止まっているとき）にくみ出し器が作動して収容容器からくみ出された除菌消臭水を、脱水篭の側面に設けたノズルより脱水篭の周面の穴から篭内の被乾燥物を濡らすように噴射し、その直後、駆動モータが作動して脱水篭を高速回転させ、除菌消臭水を含めて衣類やタオルなどの被乾燥物から水分を除き、除菌消臭後の衣類やタオルなどを持ち帰れる。換言すれば、脱水後、機外に取り出された衣類・タオルなどは総て完全に除菌消臭される。しかも、前記除菌消臭水は機本体に隣接した収容容器内のからくみ出されるため、脱水操作する人（オペレータ）をして使い勝手が良く、面倒にならないから、病院や介護施設などにおいて使い回しされた衣類・タオルなども除菌消臭の事実を説明することにより衛生的にも精神的にも抵抗感を確実に払拭できる上に、看護士や介護者の労働環境の改善にも繋がるという優れた効果を奏するものである。
【発明を実施するための最良の形態】
【００１３】
次に、本発明の最良の実施形態を添付した図面に基づいて説明する。図１は機本体の内部構成を示す断面図、図２は除菌消臭水の散布状態を示す機本体の上位部分の側面拡大断面図、図３は除菌消臭水の散布状態を示す平面拡大断面図である。
【００１４】
図において、１は機本体で、該機本体１の上面には開閉蓋２がヒンジ点２ａを中心に開閉できるように設けられている。前記機本体１の上位には、水受枡３が設置され、該水受枡３の上板４には濡れた衣類やタオルなどの被乾燥物Ｋを投入（出し入れ）する投入口５が設けられている。
【００１５】
前記水受枡３内には、上面が開口した脱水篭６が、その開口面を前記投入口５に対峙させるように設けられている。該脱水篭６は投入した被乾燥物Ｋを遠心脱水するために周囲に無数の穴７が設けられている（周囲を金属網で構成しても良い）。該脱水篭６の支持シャフト８は、前記水受枡３の底面下に設置した駆動モータ９にブレーキ部材１０を介して連繋している。該脱水篭６は駆動モータ９の駆動により水平方向に高速回転できるようになっている。
【００１６】
前記脱水篭６の上面開口には、口径絞り部材１１が装着され、想定外に大きい物などが投入されないように規制していると共に、脱水篭６の高速回転中に被乾燥物Ｋが浮上して跳ね出すことも防止している。
【００１７】
前記駆動モータ９は、機本体１の正面パネル１′に設けた押しボタンスイッチ１２の押し動作により起動し、高速回転化する。この起動時には前記ブレーキ部材１０の制動は解除されている。前記駆動モータ９の高速化に対応するため、該駆動モータ９は四囲を防震手段９′に支持されている。しかして、押しボタンスイッチ１２の押しを解除するとブレーキ部材１０の制動により脱水篭６を急停止させるようになっている。なお、前記押しボタンスイッチ１２は、前記開閉蓋２の上面に設置してもよい。
【００１８】
前記ブレーキ部材１０は、摩擦板１０ａと、ソレノイド１０ｂと、バネ（図示せず）とからなり、前記押しボタンスイッチ１２を押している手指を解除すると、前記ソレノイド１０ｂがバネに抗して摩擦板１０ａを制動板１０ｃに当ててブレーキをかけ、これにより前記駆動モータ９は制動され、高速回転している脱水篭６を急停止させることとなる。
【００１９】
前記脱水篭６の高速回転により篭内の被乾燥物Ｋから遠心分離されて周囲の穴７を通して水受枡３にて受領された水は、該水受枡３の底面１ヶ所に集約され、該集約部より排水パイプ１３を経て機本体１の下位空間に備えた貯水槽１４に溜められる。該貯水槽１４は下面に移動キャスタ１５を備え、移動し易くしている。該貯水槽１４内の水位はレベル計１６で検出できるようになっている。なお、前記排水パイプ１３は、機本体１の設置場所に排水設備（図示せず）があるときは、その排水設備に直に接続してもよい。
【００２０】
前記支持シャフト８が水受枡３の底面を貫通した個所は、防水ゴムリング１７により防水されている。該防水ゴムリング１７の支持シャフト８に接している部分１７′には耐磨耗性及び摺動性の高い材料が使われている。また、前記脱水篭６の下面には、スカート部材１８が設けられている。これは脱水篭６の周囲の穴７から衣類やタオルなどから離反した基材（例えば繊維）の一部が支持シャフト８に絡み付かないようにしている。
【００２１】
前記機本体１の脱水篭６には、これに投入した衣類やタオルなどの被乾燥物Ｋを除菌消臭するための除菌消臭水散布手段１９を構成するノズル２０が対向して設けられている。該ノズル２０は、図２の如く、脱水篭６の側面上位に向けて噴射できる。このノズル２０から勢い良く噴射された除菌消臭水は、脱水篭６の周囲の穴７から篭内に入り、衣類やタオルなどの被乾燥物Ｋを濡らす。該ノズル２０の位置は、前記開閉蓋２を開けて被乾燥物Ｋを篭内に投入する邪魔にならない。勿論、ノズル２０は上記位置には限らない。
【００２２】
前記除菌消臭水散布手段１９は、前記機本体１に隣接した除菌消臭水Ｗの収容容器２１と、該収容容器２１からのくみ出し器２２と、該くみ出し器２２から前記ノズル２０への導通管２３と、前記機本体１の駆動スイッチ１２の押し操作により前記駆動モータ９の始動前に前記くみ出し器２２を作動させる遅延回路２４とを備えている。
【００２３】
前記除菌消臭水Ｗをその収容容器２１からくみ出すための前記くみ出し器２２は、本実施例では、秒単位で作動する高性能モータ２２ａで作動する吸い込み口２２ｂを備えたポンプで形成されている。すなわち、前記機本体１の駆動スイッチ１２の押し操作により前記駆動モータ９の始動前に、前記くみ出し器２２が０．５秒間作動して除菌消臭水Ｗをくみ出すようになっている。このポンプの作動時間の調整は前記遅延回路２４により脱水篭へ投入した被乾燥物の量に合わせて調整可能とし、常に、同じ量（最適量）の除菌消臭水がノズルより散布されるようになっている。したがって、脱水され、機外に取り出された衣類・タオルなどは総て完全に除菌消臭されるという安心感が得られる。なお、くみ出し器２２としてはポンプ式のものを示したが、圧力式のものでもよい。
【００２４】
前記除菌消臭水Ｗは、次亜塩素酸ナトリウムと希塩酸とのＰＨ調整した混合水が使われる。この除菌消臭水Ｗは必要な殺菌力を有しながら、人体への接触、人体内への侵入にも無害であり、病院や介護施設などにおける大きな安全、安心が得られる。
【００２５】
次に、上記実施例の作用について述べる。まず、機本体１の開閉蓋２を開け、投入口５を通して濡れた衣類やタオルなどの被乾燥物Ｋを脱水篭６内に入れてから、前記開閉蓋２を閉める。
【００２６】
次いで、機本体１の正面パネル１′に設けた押しボタンスイッチ１２を手指で押圧すると、前記駆動モータ９が起動される前の数秒間（０．５〜２秒）前記くみ出し器２２が作動して除菌消臭水Ｗをくみ出して導液管２３を通してノズル２０より脱水篭６内の被乾燥物Ｋへ噴射させる。前記脱水篭６内の衣類やタオルなどの被乾燥物Ｋは、除菌消臭水Ｗにより更に濡らされ、馴染まされる。次に、脱水篭６が起動され、高速での回転を開始することとなる。この高速回転時、被乾燥物Ｋは浮上方向の応力をうけるが、前記口径絞り部材１１の作用により跳ね出しが防止される。
【００２７】
前記脱水篭６の高速回転による遠心力を受けた前記被乾燥物Ｋからは遠心分離された水分は篭の周囲の穴７から噴出水受枡３内に排出される。しかして、水受枡３の底面において集約された水分は、排水パイプ１３を通して順次貯水槽１４内に溜められる。前記脱水篭６の周囲穴７からは衣類等の基材の一部も放出されるが、前記スカート部材１８はその基材の一部を支持シャフト８に絡み付くことがない。
【００２８】
次に、前記押しボタンスイッチ１２の押し操作を解除する（手指を離す）と、ブレーキ部材１０が作用して駆動モータ９を急停止する。その後は、開閉蓋２を開けて脱水篭６内の被乾燥物Ｋを取り出すこととなる。しかして、機外に取り出された衣類・タオルなどの被乾燥物Ｋは完全に除菌消臭されているので、病院や介護施設などにおいて使い回しされたとしても衛生的にも精神的にも抵抗感は皆無になる。
【００２９】
また、前記除菌消臭水散布手段１９は、前記機本体１に併設した除菌消臭水Ｗの収容容器２１と、該収容容器２１からのくみ出し器２２と、該くみ出し器２２からノズル２０への導通管２３と、前記機本体１の駆動スイッチ１２の押し操作により前記駆動モータ９の始動前に前記くみ出し器２２を作動させる遅延回路２４と、からなるから、脱水篭６に投入されている衣類・タオルなどの被乾燥物Ｋは、確実に除菌消臭水Wにて晒されるので、機外に取り出された脱水後の衣類・タオルなどは総て完全に除菌消臭されるという安心感が得られる。
【００３０】
しかも、前記除菌消臭水Ｗとして、次亜塩素酸ナトリウムと希塩酸とのＰＨ調整した混合水が使われるため、人体への接触、人体内への侵入にも無害であり、病院や介護施設などにおける大きな安全、安心が得られる。
【産業上の利用可能性】
【００３１】
本発明は、衣類、タオルなどの被乾燥物（水濡れ物品）を遠心脱水できる脱水機で、その被乾燥物は、脱水させる前に、除菌消臭水が散布されて一緒に脱水されることとなるため、病院や介護施設など広く利用される場合にも大きな安全、安心が得られるもので、産業上の利用可能性は極めて高いものである。
【図面の簡単な説明】
【００３２】
【図１】機本体の内部構成を示す断面図である。
【図２】除菌消臭水の散布状態を示す機本体の上位部分の側面拡大断面図である。
【図３】除菌消臭水の散布状態を示す平面拡大断面図である。
【図４】従来の機本体を示す断面図である。
【符号の説明】
【００３３】
１  機本体
２  開閉蓋
３  水受枡
４  上板
５  投入口
６  脱水篭
７  周囲穴
８  支持シャフト
９  駆動モータ
９′  防震手段
１０  ブレーキ部材
１１  絞り部材
１２  スイッチ
１３  排水パイプ
１４  貯水槽
１５  キャスタ
１６  レベル計
１７  防水ゴムリング
１８  スカート部材
１９  除菌消臭水散布手段
２０  ノズル
２１  収容容器
２２  くみ出し器
２２ａ  高性能モータ
２２ｂ  吸い込み口
２３  導通管
２４  遅延回路
Ｗ  除菌消臭水
Ｋ  被乾燥物
【図１】
0005781901.tif 000002
【図２】
0005781901.tif 000003
【図３】
0005781901.tif 000004
【図４】
0005781901.tif 000005